(57)【要約】      （修正有） 【課題】犬や猫などのような体毛に覆われていて汚れも多い動物の皮膚から、その必要な箇所の皮膚のサンプルを簡単に採取することのできる皮膚チェックシートを提供する。【解決手段】合成樹脂製の台紙シートの上に、つまみ部を有し、その両面に易剥離性粘着剤を有する透明な合成樹脂製の試料採取片を貼り付け、更に、その上につまみ部を有する合成樹脂性のカバーシートを貼り付けてなる動物用皮膚チェックシートである。試料採取片の両面の易剥離性粘着剤は、その粘着力が０．２０Ｎ／ｍｍ〜０．６０Ｎ／ｍｍであり、かつ台紙シート側の易剥離性粘着剤の粘着力がカバーシート側のそれよりも０．０１Ｎ／ｍｍ〜０．０６Ｎ／ｍｍ大きい。【選択図】図１
0003144460.tif 000002
【実用新案登録請求の範囲】
【請求項１】
合成樹脂製の台紙シートの上に、つまみ部を有し、両面に易剥離性粘着剤を有する透明な合成樹脂製の試料採取片を貼り付け、更に、その上につまみ部を有する合成樹脂性のカバーシートを貼り付けてなる動物用皮膚チェックシート。
【請求項２】
試料採取片の両面に有する易剥離性粘着剤が、その粘着力が０．２０Ｎ／ｍｍ〜０．６０Ｎ／ｍｍであり、かつ台紙シート側の易剥離性粘着剤の粘着力がカバーシート側のそれよりも０．０１Ｎ／ｍｍ〜０．０６Ｎ／ｍｍ大きいことを特徴とする、請求項１記載の動物用皮膚チェックシート。
【請求項３】
試料採取片の両側縁部に２個のつまみ部を有することを特徴とする、請求項１又は２に記載の動物用皮膚チェックシート。
【考案の詳細な説明】
【技術分野】
【０００１】
本考案は、犬や猫などの体毛のある動物の皮膚の状態を検査するための動物用皮膚チェックシートに関する。
【背景技術】
【０００２】
最近では犬や猫などの動物が家庭でペットとして飼育されることが多くなっている。このようなペットとして飼育が多くなるに伴って、これらの動物のさまざまな皮膚の傷害や皮膚病の問題もクローズアップされてきている。
【０００３】
特に、家庭で飼育されている犬では、アトピーなどの皮膚炎やその他のさまざまな皮膚の傷害が大きな問題となっている。特に、犬は、一般にその身体を体毛で覆われていると同時に、その身体の表皮からさまざまな脂成分を分泌している。このような身体表皮に蓄積した脂成分を放置しておくと、周囲の環境からのほこりや泥、その他の種々の汚れ物質、アレルゲン物質などと一緒に皮膚の上に蓄積し、脂成分が酸化され、ここに種々の細菌類が繁殖し、そのため痒みが発生したり皮膚病の原因となることが多い。犬の身体表皮には常在菌として、マラセチア菌、ぶどう球菌などが存在しており、これらが痒みや皮膚病の原因となることが多い。また、家ダニ、ハウスダストなどのアレルゲンによって痒みや皮膚病が発生することも多い。
【０００４】
しかし、犬や猫などのような動物は一般に身体が体毛に覆われていて、皮膚の状態を観察し、検査することは必ずしも容易ではない。このような皮膚の検査を行う簡便な方法として、従来から例えば市販の両面接着性の粘着性テープやシートなどを顕微鏡用のスライドガラスに貼り付け、これを動物の皮膚に押し当てて皮膚のサンプルを採取し、これを顕微鏡下で観察することが行われている。
【０００５】
しかし、このような検査方法は、激しく動き回ることが多く、かつ体毛に覆われていて汚れも多いこれらの動物の皮膚から必要な箇所の皮膚のサンプルを採取することは必ずしも容易ではなかった。
【考案の開示】
【考案が解決しようとする課題】
【０００６】
本考案は、犬や猫などのような体毛に覆われていて汚れも多い動物の皮膚から、その必要な箇所の皮膚のサンプルを簡単に採取することのできる皮膚チェックシートを提供することを目的とするものである。
【課題を解決するための手段】
【０００７】
本考案者は、上記の状況に鑑み鋭意検討を進めた結果、取り扱いが容易なサイズの透明な合成樹脂性のシートの両面に粘着剤を塗布した資料採取片を用いることによって、動物の皮膚の状態を調べるための正確なサンプルを簡単にかつ容易に採取することができることを見出し、本考案を完成した。
【０００８】
本考案は、以下の内容をその要旨とするものである。
即ち、本考案は、合成樹脂製の台紙シートの上に、つまみ部を有し、両面に易剥離性粘着剤を有する透明な合成樹脂製の試料採取片を貼り付け、更に、その上につまみ部を有する合成樹脂性のカバーシートを貼り付けてなる動物用皮膚チェックシートである。
また、本考案は、試料採取片の両面に塗布する易剥離性粘着剤が、その粘着力が０．２０Ｎ／ｍｍ〜０．６０Ｎ／ｍｍであり、かつ台紙シート側の易剥離性粘着剤の粘着力がカバーシート側のそれよりも０．０１Ｎ／ｍｍ〜０．０６Ｎ／ｍｍ大きいことを特徴とする前記の動物用皮膚チェックシートである。
また、本考案は、試料採取片の両側縁部に２個のつまみ部を有することを特徴とする前記の動物用皮膚チェックシートである。
【考案の効果】
【０００９】
本考案の動物用皮膚チェックシートを用いることによって、体毛に覆われていて、かつ激しく動き回る犬や猫などの動物に対して、その皮膚の傷害や皮膚病などのある箇所に確実にチェックシートを押し当てることができ、簡便にかつ容易にその障害や皮膚病などのある箇所の皮膚の正確なサンプルを入手することができる。
【００１０】
また、一般に皮膚に傷害や皮膚病などのある犬や猫などの動物は、動物自身を獣医のところに連れて行って診断を受けることとなるが、本考案の動物用皮膚チェックシートを用いることによって、取りあえずの診断として、動物自身を獣医に連れてゆかず、採取した皮膚サンプルを獣医に提出して診断を受けることができ、動物自身を獣医につれてゆくという負担を軽減できる。また、このような皮膚傷害は、トリミングショップなどで発見されることもあるが、この場合も同様に、トリミングショップにおいて本考案の動物用皮膚チェックシートによって皮膚サンプルを採取し、獣医の診断を受けることができる。
【考案を実施するための最良の形態】
【００１１】
本考案の動物用皮膚チェックシートの一例を図１と図２に示す。
本考案の動物用皮膚チェックシートは、合成樹脂製の台紙シート１の上に、つまみ部４及び／又は４’を有し、かつその両面に易剥離性の粘着剤６及び７を有する透明な合成樹脂製の試料採取片２を貼り付け、更にその上につまみ部５を有するカバーシート３を貼り付けたものである。
【００１２】
台紙シート１は、表面が平滑な弾力性のある合成樹脂製のシートであればよく、シートの材質は、例えばポリプロピレン樹脂、ポリエチレン樹脂、ポリエステル樹脂（ＰＥＴ樹脂）、ポリアクリル樹脂、ポリカーボネート樹脂、塩化ビニル樹脂などのシートが用いることができる。台紙シートは透明であっても、着色していても良いが、透明なものが好ましい。台紙シート１は、その上に試料採取片２を安定に保持することができるような剛性を有する材質と厚さがあれば特に制限されない。
【００１３】
試料採取片２は、その一部につまみ部４及び／又は４’を有するとともに、その両面に易剥離性の粘着剤６及び７を有する透明な合成樹脂製のシートから成るものである。この試料採取片２の合成樹脂製シートは、その台紙シート側とカバーシート側の両面にそれぞれ易剥離性粘着剤６及び７を有しており、かつ台紙シート側の易剥離性粘着剤６の粘着力がカバーシート側の粘着剤７の粘着力よりも若干大きくなるように、両面の易剥離性粘着剤６及び７を選択する。
【００１４】
このような合成樹脂性の試料採取片２として、具体的には、例えばポリプロピレン樹脂、ポリエチレン樹脂、ポリエステル樹脂（ＰＥＴ樹脂）、ポリアクリル樹脂、ポリカーボネート樹脂などのシートが用いることができる。
試料採取片２は、採取した皮膚サンプルを顕微鏡で観察するため、透明な合成樹脂製であることが必要である。試料採取片２の厚さは、上述のような適度の柔軟性、弾力性と剛性を有する程度の厚さであればよいが、一般的に０．０１〜２．０ｍｍ程度であれば良く、０．０２〜０．０６ｍｍがより好ましい。
【００１５】
また、この試料採取片２には、その一部につまみ部４及び／又は４’を有する。このつまみ部４及び／又は４’は、台紙シート１から試料採取片２を剥がす際にそのつまみ用として用いるとともに、動物の皮膚に押し当て、皮膚サンプルを採取し、その後の顕微鏡観察用の各種処置のための試料採取片２のつまみとして用いることができる。このような取り扱いをより容易に行なうためには、図１、図２に示すように、つまみ部が試料採取片２の両側縁部に２個有するものがより好ましい。
【００１６】
試料採取片２の両面に塗布する易剥離性粘着剤６、７は、台紙シート１及びカバーシート３に対して確実な粘着性を有するとともに、試料採取片２からカバーシート３又は台紙１が手で容易に剥がすことができる程度の粘着性のものである。このような易剥離性粘着剤６，７としては、その粘着力が０．２０Ｎ／ｍｍ〜０．６０Ｎ／ｍｍであることが必要であり、０．３０Ｎ／ｍｍ〜０．４５Ｎ／ｍｍであることがより好ましい。本考案の動物用皮膚チェックシートに使用する易剥離性粘着剤６、７は、このような粘着力を有し、かつポリプロピレン樹脂やポリエステル樹脂のシートに対して容易に剥離することができるものであれば特に制限されないが、このような易剥離性粘着剤としては、例えばアクリル樹脂系粘着剤などが挙げられる。
【００１７】
更に、本考案の動物用皮膚チェックシートでは、まずカバーシート３を剥がして皮膚のサンプルを採取し、顕微鏡観察するため台紙１を剥がす順番となるため、試料採取片２の台紙１に対する易剥離性粘着剤６の粘着力がカバーシート３に対する易剥離性粘着剤７の粘着力よりも若干大きくすることが必要である。即ち、台紙１側の易剥離性粘着剤６の粘着力がカバーシート側の易剥離性粘着剤７の粘着力にくらべて０．０１Ｎ／ｍｍ〜０．０６Ｎ／ｍｍ大きいことが必要である。
なお、ここでいう粘着力はＪＩＳ規格のＪＩＳ Ｚ ０２３７による１８０度はく離粘着力である。
【００１８】
更に、本考案の動物用皮膚チェックシートは、この試料採取片２の上につまみ部５を有する合成樹脂性のカバーシート３を貼り付けてなるものである。
この合成樹脂性のカバーシート３の材質は、具体的には、例えばポリプロピレン樹脂、ポリエチレン樹脂、ポリエステル樹脂（ＰＥＴ樹脂）、ポリアクリル樹脂、ポリカーボネート樹脂などのシートが用いることができる。カバーシート３は試料採取片２の上の易剥離性粘着剤７を保護するためのものであり、適度な柔軟性、弾力性を有するシートであれば制限されない。また、透明であっても着色されていても良い。
【００１９】
本考案の動物用皮膚チェックシートは次のようにして使用する。
図１及び図２において、まず、カバーシートのつまみ部５をつまんで本考案の動物用皮膚チェックシートのカバーシート３を剥がす。次に、このカバーシート３が剥がされて易剥離性粘着剤７が露出した動物用皮膚チェックシートを、サンプルを採取する犬や猫などの被検動物の身体の部位に指で押し付けて皮膚のサンプルをこの易剥離性粘着剤７に写し取る。体毛がある場合にはこれを押しのけて動物用皮膚チェックシートを押し当てる。
【００２０】
次に、この皮膚のサンプルを採取した動物用皮膚チェックシートの試料採取片２のつまみ部４及び／又は４’をつまんで、試料採取片２を台紙１から剥がし、この試料採取片２の台紙シート側の易剥離性粘着剤６を顕微鏡観察用のスライドガラスの上に載せて接着させる。この際、皮膚サンプルを採取した易剥離性粘着剤７を指で触らないように注意深く取り扱う。
このようにしてスライドガラスの上に接着・固定された皮膚サンプルには被検動物の皮膚の細胞が付着しているので、この皮膚サンプルを常法により顕微鏡観察用の染色剤にて染色して顕微鏡にて観察する。
【００２１】
このようにして採取した皮膚細胞を顕微鏡で観察すると、皮膚が荒れていたり、湿疹その他の皮膚傷害がある場合には、正常な皮膚では見出されない有核細胞が多く観察される。従って、このような動物の皮膚の状態を簡便かつ容易に観察することができ、獣医師などがその治療に役立てることができ、更には動物の飼い主にもその皮膚の状態をわかりやすく説明するための資料として使用することができる。
【産業上の利用可能性】
【００２２】
本考案の動物用皮膚チェックシートを用いることによって、獣医師や動物の飼い主が容易に、かつ簡便に動物の皮膚の状態を観察・診断することができる。従って、獣医師の治療用検査キットとして、また飼い主の皮膚診断用キットとして有用である。
【図面の簡単な説明】
【００２３】
【図１】本考案の動物用皮膚チェックシートの斜視図である。
【図２】本考案の動物用皮膚チェックシートの中心部断面図である。
【符号の説明】
【００２４】
１．台紙シート
２．試料採取片
３．カバーシート
４，４’．  試料採取片のつまみ部
５．カバーシートのつまみ部
６．台紙側の易剥離性粘着剤
７．カバーシート側の易剥離性粘着剤
【図１】
0003144460.tif 000003
【図２】
0003144460.tif 000004